(57)【要約】【課題】特殊な保持装置を用いることなく、内周面の雌スプラインの位相と外周面との位相とを一致させることができる雌スプライン加工方法を提供する。【解決手段】トルク伝達部材１の内周面のうち少なくとも軸方向一端に、ブローチ刃１０１を内周面の軸方向一端から挿入可能であり、ブローチ刃１０１が挿入された状態でブローチバイト１００に対する相対回転が規制される案内溝１３を形成する。その後、トルク伝達部材１をブローチバイト１００に対して相対回転可能で且つトルク伝達部材１の軸方向一端側がブローチバイトの先端側を向くように配置した後に、ブローチバイト１００をトルク伝達部材１に対して軸方向へ移動させて、ブローチ刃１０を案内溝１３に挿入することで、トルク伝達部材１とブローチバイト１００との位相決めを行う。この状態で、ブローチバイト１００をトルク伝達部材１に対してさらに軸方向へ移動させて、雌スプライン１１ａを形成する。【選択図】図１
2009113183.tif 000002
【特許請求の範囲】
【請求項１】
外周面に径方向外方へ突出するブローチ刃を有するブローチバイトにより、トルク伝達軸が挿通されるトルク伝達部材の内周面に雌スプラインを形成する雌スプライン加工方法であって、
前記トルク伝達部材の内周面のうち少なくとも軸方向一端に、前記ブローチ刃を前記内周面の前記軸方向一端から挿入可能であり、前記ブローチ刃が挿入された状態で前記ブローチバイトに対する相対回転が規制される案内溝を形成する案内溝形成工程と、
前記案内溝形成工程の後に、前記トルク伝達部材を前記ブローチバイトに対して相対回転可能で且つ前記トルク伝達部材の前記軸方向一端側が前記ブローチバイトの先端側を向くように配置するトルク伝達部材配置工程と、
前記トルク伝達部材配置工程の後に、前記ブローチバイトを前記トルク伝達部材に対して軸方向へ移動させて、前記ブローチ刃を前記案内溝に挿入するトルク伝達部材位相決め工程と、
前記トルク伝達部材位相決め工程の後に、前記ブローチバイトを前記トルク伝達部材に対してさらに軸方向へ移動させて、前記雌スプラインを形成する雌スプライン形成工程と、
を備えることを特徴とする雌スプライン加工方法。
【請求項２】
前記案内溝の内周側の周方向開口幅は、前記軸方向一端から軸方向他端に向かって狭くなるように形成され、
前記案内溝の内周側のうち前記軸方向一端側における前記周方向開口幅は、前記ブローチ刃の周方向幅より大きく形成され、
前記案内溝の内周側のうち前記軸方向他端側における前記周方向開口幅は、前記ブローチ刃の周方向幅より小さく形成されている請求項１に記載の雌スプライン加工方法。
【請求項３】
前記トルク伝達部材の軸中心から前記案内溝の溝底までの最大距離は、前記ブローチバイトの軸中心から前記ブローチ刃の外周縁までの最大距離より小さくされている請求項１または２に記載の雌スプライン加工方法。
【請求項４】
前記ブローチ刃は、前記ブローチバイトの先端側から根元側に向かって拡径している拡径刃を備え、
前記トルク伝達部材位相決め工程は、前記拡径刃が前記案内溝に挿入され、前記案内溝に前記拡径刃が当接する請求項１〜３の何れか一項に記載の雌スプライン加工方法。
【請求項５】
前記案内溝の溝周方向幅は、溝開口側から溝底に向かって狭くなるように形成されている請求項４に記載の雌スプライン加工方法。
【請求項６】
前記案内溝は、複数形成され、
それぞれの前記案内溝は、それぞれの前記ブローチ刃を前記軸方向一端から挿入可能であり、それぞれの前記ブローチ刃が挿入された状態で前記ブローチバイトに対する相対回転を規制する請求項１〜５の何れか一項に記載の雌スプライン加工方法。
【請求項７】
前記案内溝形成工程は、前記トルク伝達部材の外周面または内周面を鍛造により成形する際に、同時に鍛造により前記案内溝を形成する請求項１〜６の何れか一項に記載の雌スプライン加工方法。
【請求項８】
前記トルク伝達部材は等速ジョイントの内輪である請求項１〜７の何れか一項に記載の雌スプライン加工方法。
【発明の詳細な説明】
【技術分野】
【０００１】
本発明は、例えば等速ジョイントの内輪などのトルク伝達軸が挿通されるトルク伝達部材の内周面に形成する雌スプラインの加工方法に関するものである。
【背景技術】
【０００２】
ボール形等速ジョイントやトリポード形等速ジョイントを構成する内輪は、外周面にボール溝やトリポード軸部が形成され、内周面に雌スプラインが形成されている。そして、内周面の雌スプラインの凹凸の位相と、外周面のボール溝やトリポード軸部の位相によっては、径方向の肉厚が変化する。そのため、製造される内輪の強度にばらつきが生じることがあった。
【０００３】
この問題を解決するために、例えば、特開２００６−１４４９７３号公報（特許文献１）に製造方法が記載されている。この製造方法は、ブローチ加工により雌スプラインを形成する際に、ブローチバイトに対して内輪が、軸周りに相対回転することを規制し、且つ、軸直角方向に相対移動可能となるように、内輪を保持することが記載されている。これにより、内周面の位相と外周面の位相とを一致させることができるとされている。
【特許文献１】特開２００６−１４４９７３号公報
【発明の開示】
【発明が解決しようとする課題】
【０００４】
しかし、特許文献１に記載の製造方法では、内輪を保持する専用の装置が必要となり、高コスト化を招来する。そこで、本発明は、特許文献１に記載されている保持装置を用いることなく、トルク伝達部材の内周面の雌スプラインの位相とその外周面との位相とを一致させるように製造可能な雌スプライン加工方法を提供することを目的とする。
【課題を解決するための手段】
【０００５】
本発明の雌スプライン加工方法は、
外周面に径方向外方へ突出するブローチ刃を有するブローチバイトにより、トルク伝達軸が挿通されるトルク伝達部材の内周面に雌スプラインを形成する雌スプライン加工方法であって、
前記トルク伝達部材の内周面のうち少なくとも軸方向一端に、前記ブローチ刃を前記内周面の前記軸方向一端から挿入可能であり、前記ブローチ刃が挿入された状態で前記ブローチバイトに対する相対回転が規制される案内溝を形成する案内溝形成工程と、
前記案内溝形成工程の後に、前記トルク伝達部材を前記ブローチバイトに対して相対回転可能で且つ前記トルク伝達部材の前記軸方向一端側が前記ブローチバイトの先端側を向くように配置するトルク伝達部材配置工程と、
前記トルク伝達部材配置工程の後に、前記ブローチバイトを前記トルク伝達部材に対して軸方向へ移動させて、前記ブローチ刃を前記案内溝に挿入するトルク伝達部材位相決め工程と、
前記トルク伝達部材位相決め工程の後に、前記ブローチバイトを前記トルク伝達部材に対してさらに軸方向へ移動させて、前記雌スプラインを形成する雌スプライン形成工程と、
を備えることを特徴とする。
【０００６】
ここで、雌スプラインを形成する対象であるトルク伝達部材とは、ボール形等速ジョイントを構成する内輪、および、トリポード形等速ジョイントを構成するトリポード（「内輪」ともいう）などである。ボール形等速ジョイントを構成する内輪は、外周面にボール溝が形成され、内周面に雌スプラインが形成されている。トリポード形等速ジョイントを構成するトリポードは、外周面に３本のトリポード軸部が形成され、内周面に雌スプラインが形成されている。つまり、トルク伝達部材は、内周面に雌スプラインが形成されており、外周面が断面非円形からなる部材である。より具体的には、トルク伝達部材は、内周面の雌スプラインと外周面の位相によって、肉厚が異なる状態となり得る部材である。
【０００７】
そして、本発明によれば、トルク伝達部材に案内溝を形成することで、ブローチ刃がトルク伝達部材の内側に挿入される当初に、ブローチ刃の一部が案内溝に挿入されることで、ブローチ刃とトルク伝達部材との位相決めが行われる。仮に、ブローチ刃を案内溝に挿入する前の状態において、ブローチ刃の位相と案内溝の位相とがずれている場合に、ブローチ刃が案内溝に挿入されることで、トルク伝達部材がブローチバイトに対して相対回転して、両者の位相が所定の位相となる。このように、両者の位相が決められた状態で、ブローチバイトをトルク伝達部材に対してさらに軸方向へ移動させることで、外周面に対して所定の位相の雌スプラインが内周面に形成される。つまり、ブローチ加工を行う前に、予めトルク伝達部材に案内溝を形成しておくことで、トルク伝達部材の外周面と内周面の雌スプラインとの位相決めをすることができる。従って、特許文献１のような製造装置を用いることなく、低コストに雌スプラインの位相決めを行うことができる。
【０００８】
本発明の好適な態様において、前記案内溝の内周側の周方向開口幅は、前記軸方向一端から軸方向他端に向かって狭くなるように形成され、
前記案内溝の内周側のうち前記軸方向一端側における前記周方向開口幅は、前記ブローチ刃の周方向幅より大きく形成され、
前記案内溝の内周側のうち前記軸方向他端側における前記周方向開口幅は、前記ブローチ刃の周方向幅より小さく形成されている。
【０００９】
これにより、トルク伝達部材位相決め工程において、案内溝にブローチ刃を挿入した状態で、案内溝の内周側のうち軸方向一端側における周方向開口の縁部が、ブローチ刃に当接しないようになる。つまり、案内溝の内周側のうち軸方向一端側における周方向開口の縁部が、ブローチ加工されない。従って、当該縁部が、ブローチ加工による角状に加工されない。つまり、トルク伝達部材の雌スプラインの溝は、ブローチ加工される領域である直線状溝部と、ブローチ加工されない領域である拡開状溝部とにより構成されることになる。そして、相手部材であるトルク伝達軸における雄スプラインが、軸方向全長に亘って同一の幅で直線状に形成されているとすると、以下のような効果を奏する。すなわち、実際にトルク伝達部材が使用されて相手部材であるトルク伝達軸との間でトルク伝達される際に、拡開状溝部が形成される端部にトルク負荷が集中されることを防止できる。このことは、例えば、特開２００３−３０７２３２号公報に記載されていることを共通する。この結果、トルク伝達部材の雌スプラインの端部における疲労強度不足の発生を解消できる。
【００１０】
さらに、案内溝の内周側のうち軸方向他端側における周方向開口幅が、ブローチ刃の周方向幅より小さく形成されているため、当該軸方向他端側部分は、必ずブローチ刃によりブローチ加工される部位となる。例えば、案内溝が、トルク伝達部材の軸方向中央付近まで形成されているとした場合には、案内溝の内周側のうち軸方向他端側とはトルク伝達部材の軸方向中央付近となる。つまり、トルク伝達部材の軸方向中央部に位置する可能性のある案内溝の内周側のうち軸方向他端側部分が、確実に、雌スプラインの歯面を形成することになる。従って、相手部材との間でトルク伝達が確実に且つ良好に行うようにできる。
【００１１】
また、本発明の好適な態様において、前記トルク伝達部材の軸中心から前記案内溝の溝底までの最大距離は、前記ブローチバイトの軸中心から前記ブローチ刃の外周縁までの最大距離より小さくされている。
【００１２】
これにより、案内溝の溝底部分は、全て、ブローチ刃によりブローチ加工されることになる。例えば、ブローチ加工後に案内溝の溝底部分が僅かに残る場合には、その残る部分を形成する部分が角状を形成し、実際にトルク伝達部材が使用されて相手部材との間でトルク伝達される際に応力集中するおそれがある。しかし、上記のように、案内溝の溝底部分が全てブローチ加工されることにより、角状に残る部分が存在しなくできる。従って、案内溝の溝底部分が角状に形成されることによる応力集中を回避できる。
【００１３】
また、本発明の他の好適な態様において、前記ブローチ刃は、前記ブローチバイトの先端側から根元側に向かって拡径している拡径刃を備え、
前記トルク伝達部材位相決め工程は、前記拡径刃が前記案内溝に挿入され、前記案内溝に前記拡径刃が当接する。
【００１４】
つまり、拡径刃は、ブローチバイトの先端側の突出量は少なく、根元側に行くに従って突出量が大きくなる。これにより、ブローチ刃の拡径刃がトルク伝達部材の内側に挿入される当初は、拡径刃の僅かな突出部分がトルク伝達部材の内側に挿入されることになる。そして、その突出量が徐々に大きくなるように変化する。従って、ブローチ刃の挿入当初に、案内溝からずれた位相に挿入されたとしても、ブローチ刃の拡径刃が案内溝に滑らかにガイドされる状態となる。従って、案内溝による位相決めが確実にできる。
【００１５】
また、本発明の他の好適な態様において、前記案内溝の溝周方向幅は、溝開口側から溝底に向かって狭くなるように形成されている。これにより、拡径刃の突出量が大きくなるに従って、拡径刃と案内溝との係合力が大きくなっていく。つまり、係合力が小さな状態において両者の位相がずれている場合であっても、徐々に係合力が大きくなる状態の両者の位相へ移動させる、いわゆる位相決めへのガイド機能を発揮する。従って、ブローチ刃の挿入当初に位相がずれている場合であっても、確実に位相決めができる。
【００１６】
また、本発明の他の好適な態様において、前記案内溝は、複数形成され、それぞれの前記案内溝は、それぞれの前記ブローチ刃を前記軸方向一端から挿入可能であり、それぞれの前記ブローチ刃が挿入された状態で前記ブローチバイトに対する相対回転を規制する。
【００１７】
ここで、上記の好適な態様とは異なる態様として、一つの案内溝が、複数のブローチ刃を挿入するようにもできる。この場合、それぞれの案内溝がそれぞれのブローチ刃を挿入する場合に比べて、トルク伝達部材の内周全体における案内溝の個数が少なくなる。両者の態様を比較した場合、それぞれの案内溝がそれぞれのブローチ刃を挿入する場合の方が、案内溝をそれほど高精度に加工しなくても、案内溝全体としての位相ばらつきが平準化されることで、個々の案内溝の加工精度ばらつきによる位相ばらつきを低減できる。
【００１８】
また、本発明の他の好適な態様において、前記案内溝形成工程は、前記トルク伝達部材の外周面または内周面を鍛造により成形する際に、同時に鍛造により前記案内溝を形成する。つまり、案内溝の形成をトルク伝達部材の他の部位の鍛造工程と同時に行うことで、高コスト化を防止できる。
【００１９】
また、本発明の好適な態様として、トルク伝達部材は等速ジョイントの内輪とする。ここで、等速ジョイントの内輪とは、ボール形等速ジョイントの内輪、および、トリポード形等速ジョイントのトリポードを含む意味である。このように、等速ジョイントの内輪に本発明の製造方法を適用することで、当該内輪を非常に低コストで大量生産可能とすることができる。
【発明を実施するための最良の形態】
【００２０】
次に、実施形態を挙げ、本発明をより詳しく説明する。本実施形態においては、本発明におけるトルク伝達部材の一例として、トリポード形等速ジョイントを構成するトリポード１を例に挙げて説明する。
【００２１】
（トリポード１の形状説明およびその製造方法の概要説明）
まず、トリポード１の形状について説明し、その後に、このトリポード１の製造方法の概要について図１を参照して説明する。図１は、トリポード１の製造工程を示し、（ａ）（ｂ）（ｃ）の順に製造工程が進められる。（ａ１）（ｂ１）（ｃ１）は、トリポード１を軸方向から見た図であり、（ａ２）（ｂ２）（ｃ２）は、（ａ１）（ｂ１）（ｃ１）の軸方向断面図である。そして、図１（ｃ１）（ｃ２）に示すトリポード１は、最終形状である。
【００２２】
トリポード１は、図１（ｃ１）（ｃ２）に示すように、内周面に雌スプライン１１ａが形成された円筒状からなるボス部１１と、ボス部１１の外周面からそれぞれボス部１１の径方向外方に延びるように立設された３本のトリポード軸部１２とから構成される。３本のトリポード軸部１２は、ボス部１１の周方向に等間隔（１２０度間隔）に形成されている。また、ボス部１１の内周には、外周面に雄スプラインが形成されたトルク伝達軸（図示せず）が挿通される。そして、ボス部１１の雌スプライン１１ａとトルク伝達軸の雄スプラインがスプライン嵌合する。
【００２３】
このトリポード１は、まず、円柱状からなる鋼材の塊を閉塞鍛造により図１（ａ１）（ａ２）に示す形状を形成する（閉塞鍛造工程）。すなわち、図１（ａ１）（ａ２）に示すように、ボス部１１の外側部分、および、各トリポード軸部１２の粗形状が形成される。この時点において、ボス部１１の中央部が貫通されておらず、当該中央部は両端面側に円形の凹部１１ｂ、１１ｂが形成されている。
【００２４】
続いて、図１（ｂ１）（ｂ２）に示すように、鍛造加工により、ボス部１１の貫通孔１１ｃを形成する（鍛造加工工程）。つまり、このときには、ボス部１１の内周面が、軸方向に亘って、ほぼ同径となる円筒状に形成されている。さらに、この鍛造加工工程において、後に詳述する案内溝１３を、ボス部１１の内周面のうち軸方向一端側に形成する（案内溝形成工程）。この案内溝１３は、ブローチ加工に用いるブローチバイト１００のブローチ刃１０１のうち拡径刃１０１ａの一部が挿入可能であり、拡径刃１０１ａが案内溝１３に挿入された状態でトリポード１のブローチバイト１００に対する相対回転が規制される溝である。なお、ブローチバイト１００の詳細形状については、後述する。
【００２５】
続いて、図示しないが、ボス部１１の端面および内周面を切削加工する。さらに、トリポード軸部１２の外周面の切削加工も行う。ここで、ボス部１１の内周面の半径はＲ２とされている。続いて、図１（ｃ１）（ｃ２）に示すように、これまで形成したトリポード１に対して、雌スプライン１１ａを形成するために、ブローチ加工を行う。このようにして、トリポード１を製造する。このブローチ加工工程について、案内溝１３およびブローチバイト１００の詳細を説明した後に説明する。
【００２６】
（案内溝１３の詳細説明）
次に、案内溝１３の詳細について、図２および図３を参照して説明する。図２（ａ）は、案内溝形成工程におけるトリポード１、すなわち、図１（ｂ１）に示すトリポード１の軸方向から見た図の拡大図である。図２（ｂ）は、図２（ａ）の軸方向断面図である。図３は、図２（ａ）のＡ方向から見た状態の拡大図である。
【００２７】
案内溝１３は、上述したように、トリポード１のボス部１１の内周面のうち軸方向一端に形成されている。この案内溝１３は、形成される雌スプライン１１ａのそれぞれの凹部に対応する位置に、それぞれ形成されている。つまり、案内溝１３は、形成される雌スプライン１１ａの凹部の個数と同数形成されている。
【００２８】
さらに、図２（ａ）に示すように、案内溝１３は、軸方向から見た場合にほぼ三角形状に形成されている。つまり、案内溝１３の溝周方向幅（図２（ａ）に示す幅）は、溝開口側（内周側）から溝底に向かって狭くなるように形成されている。さらに、この案内溝１３は、軸方向一端（図２（ａ）の手前側、図２（ｂ）の右側、図３の上側）から、ボス部１１の軸方向中央よりも僅かに軸方向一端側寄りの位置まで形成されている。つまり、案内溝１３の軸方向の奥行き量はＤ１であって、この奥行き量Ｄ１はボス部１１の軸方向長さの半分よりも小さい。また、案内溝１３の内周側のうち軸方向一端側における周方向開口幅はＷ１である。
【００２９】
さらに、案内溝１３の内周側の周方向開口幅は、図３に示すように、軸方向一端から軸方向他端に向かって狭くなるように形成されている。より詳細には、この案内溝１３の内周側の周方向開口幅は、軸方向一端側の幅Ｗ１を底辺とし、奥行き量Ｄ１を高さとする二等辺三角形状をなしている。
【００３０】
さらに、案内溝１３の溝底方向の溝深さは、軸方向一端を最大とし、軸方向他端側に行くに従って浅くなっている。つまり、トリポード１の軸中心から案内溝１３の溝底までの距離は、軸方向一端の開口側から軸方向他端側に向って小さくなっている。そしで、トリポード１の軸中心から案内溝１３の溝底までの最大距離、すなわち、案内溝１３のうち軸方向一端の溝底までの距離はＲ１である。また、トリポード１の軸中心から案内溝１３の溝底までの最小距離、すなわち、案内溝１３のうち軸方向他端の溝底までの距離は、切削加工された貫通孔１１ｃの半径と同一のＲ２である。
【００３１】
（ブローチバイト１００の詳細説明）
次に、ブローチバイト１００について図４を参照して説明する。図４（ａ）は、ブローチバイト１００の軸直角方向から見た図である。図４（ｂ）は、図４（ａ）のＢ方向から見た図である。なお、図４（ａ）においてブローチ刃１０１を分かりやすく示すため、図４（ａ）と図４（ｂ）とは一致していない。図４（ｂ）に示すブローチバイト１００におけるブローチ刃１０１の個数は、図１および図２に示すトリポード１におけるスプライン１１ａの凹部の個数と一致させているが、図４（ａ）におけるブローチ刃１０１の個数は、これらに比べて非常に少なく表示している。
【００３２】
図４（ａ）（ｂ）に示すように、ブローチバイト１００は、外周面に径方向外方へ突出する複数のブローチ刃１０１を有する。つまり、このブローチ刃１０１が、雌スプライン１１ａのそれぞれの凹部を形成する部分となる。そして、ブローチバイト１００は、その先端に芯決め用の円柱部１０２を有している。この円柱部１０２の外半径Ｒ３は、ボス部１１の内径Ｒ２とほぼ同等もしくは内径Ｒ２より僅かに大きくされている。つまり、円柱部１０２がボス部１１の貫通孔に挿入可能であることに加えて、トリポード１とブローチバイト１００との芯決めが可能となる関係としている。
【００３３】
ブローチ刃１０１は、拡径刃１０１ａと、最大刃１０１ｂとを備えている。拡径刃１０１ａは、円柱部１０２からブローチバイト１００の根元側に向かって、拡径している刃である。つまり、この拡径刃１０１ａは、径方向外方への突出量が、ブローチバイト１００の先端側から根元側に向かって徐々に大きくなるように形成されている。より具体的には、拡径刃１０１ａは、直線のテーパ状に形成されている。さらに、拡径刃１０１ａの周方向幅Ｗ２は、ブローチバイト１００の軸方向に亘って同一幅としており、且つ、雌スプライン１１ａの凹部の周方向幅と同一である。そして、この拡径刃１０１ａの周方向幅Ｗ２は、案内溝１３の内周側のうち軸方向一端側における周方向開口幅Ｗ１より僅かに小さくされている。また、案内溝１３の内周側のうち軸方向他端側における周方向開口幅は、拡径刃１０１ａの周方向幅Ｗ２より小さくされている。
【００３４】
最大刃１０１ｂは、拡径刃１０１ａの根元側から、径方向外方への突出量が同一からなる刃である。つまり、この最大刃１０１ｂの転写した形状が、雌スプライン１１ａの凹部となる。そして、ブローチバイト１００の軸中心から最大刃１０１ｂの外側端までの距離Ｒ４は、トリポード１の軸中心から案内溝１３の溝底までの最大距離Ｒ１より僅かに大きくされている。さらに、最大刃１０１ｂの周方向幅は、拡径刃１０１ａの周方向幅と同一幅である。
【００３５】
（ブローチ加工工程の詳細）
次に、ブローチ加工工程について、詳細に説明する。このブローチ加工工程とは、上述の「トリポード１の製造方法の概要説明」において記載したように、図１（ｃ１）（ｃ２）に示すように、トリポード１に対して雌スプライン１１ａをブローチ加工により形成する工程である。
【００３６】
まず、図１（ｂ１）（ｂ２）に示す状態におけるトリポード１をブローチ盤（例えば、特開２００６−１４４９７３号公報に記載されている）のテーブル（図示せず）の上に配置する（トルク伝達部材配置工程）。このとき、トリポード１は、案内溝１３がブローチバイト１００の先端側に向くように、すなわち、案内溝１３が上側を向くようにテーブル上に配置されている。さらに、トリポード１は、ブローチバイト１００に対して相対回転可能となるように、テーブル上に配置されている。
【００３７】
続いて、ブローチバイト１００をトリポード１に対して軸方向へ移動させて、ブローチバイト１００の先端である円柱部１０２をトリポード１の貫通孔１１ｃに挿入する。これにより、ブローチバイト１００によるトリポード１の芯決めがされる。続いて、ブローチバイト１００をトリポード１に対して軸方向へさらに移動させて、ブローチ刃１０１の拡径刃１０１ａを案内溝１３に挿入する。このとき、拡径刃１０１ａの位相と案内溝１３の位相が一致していれば、トリポード１はブローチバイト１００に対して相対回転することなく、拡径刃１０１ａが案内溝１３に挿入される。一方、拡径刃１０１ａの位相と案内溝１３の位相がずれている場合には、拡径刃１０１ａと案内溝１３の位相が一致する状態となるように、トリポード１がブローチバイト１００に対して相対回転する。これは、拡径刃１０１ａがトリポード１に当接した状態において、ブローチバイト１００が軸方向に移動する際にトリポード１とブローチバイト１００にかかる力が小さくなる方向へ移動するためである。このように、拡径刃１０１ａが案内溝１３に挿入されて、ブローチバイト１００とトリポード１との位相が決定される（トルク伝達部材位相決め工程）。
【００３８】
続いて、ブローチバイト１００をトリポード１に対してさらに軸方向へ移動させて、ブローチ刃１０１の最大刃１０１ｂが完全にトリポード１の貫通孔１１ｃを貫通させて、雌スプライン１１ａが形成される（雌スプライン形成工程）。
【００３９】
このように、トルク伝達部材位相決め工程において、トリポード１に案内溝１３を形成することで、拡径刃１０１ａがトリポード１の内側に挿入される当初に、拡径刃１０１ａの一部が案内溝１３に挿入されることで、ブローチバイト１００とトリポード１との位相決めが行われる。このように、両者の位相が決められた状態で、ブローチバイト１００をトリポード１に対してさらに軸方向へ移動させることで、トリポード１の外周面に対して所定の位相の雌スプライン１１ａを内周面に形成することができる。
【００４０】
また、案内溝１３の溝周方向幅は、溝開口側（ボス部１１の内周側）から溝底に向かって狭くなるように形成されている。これにより、拡径刃１０１ａの突出量が大きくなるに従って、拡径刃１０１ａと案内溝１３との係合力が大きくなっていく。つまり、係合力が小さな状態において両者の位相がずれている場合であっても、徐々に係合力が大きくなる状態の両者の位相へ移動させる、いわゆる位相決めへのガイド機能を発揮する。このことからも、ブローチ刃１０１を案内溝１３に挿入する当初に両者の位相がずれている場合であっても、確実に位相決めができる。
【００４１】
また、拡径刃１０１ａおよび最大刃１０１ｂの周方向幅Ｗ２は、案内溝１３の内周側のうち軸方向一端側における周方向開口幅Ｗ１より小さく形成されている。従って、トルク伝達部材位相決め工程において、案内溝１３に拡径刃１０１ａを挿入した状態で、案内溝１３の内周側のうち軸方向一端側における周方向開口の縁部が、拡径刃１０１ａに当接しないようになる。さらに、その後のブローチ加工においても両者の位相が変化しないため、最大刃１０１ｂが案内溝１３の軸方向一端側の周方向開口の縁部に当接しない。つまり、案内溝１３の内周側のうち軸方向一端側の周方向開口の縁部が、ブローチ加工されないことになる。従って、当該縁部が、ブローチ加工による角状に加工されない。
【００４２】
つまり、トリポード１の雌スプライン１１ａの溝は、ブローチ加工される領域である直線状溝部と、ブローチ加工されない領域である拡開状溝部（案内溝１３が残る部分）とにより構成されることになる。そして、相手部材であるトルク伝達軸における雄スプラインが、軸方向全長に亘って同一の幅で直線状に形成されているとすると、以下のような効果を奏する。すなわち、実際にトリポード１が使用されてトルク伝達軸との間でトルク伝達される際に、拡開状溝部が形成される端部にトルク負荷が集中されることを防止できる。この結果、トリポード１の雌スプライン１１ａの端部における疲労強度不足の発生を解消できる。
【００４３】
さらに、案内溝１３の内周側のうち軸方向他端側における周方向開口幅が、ブローチ刃１０１の周方向幅Ｗ２より小さく形成されているため、当該軸方向他端側部分は、必ずブローチ刃１０１によりブローチ加工される部位となる。つまり、案内溝１３のうち内周側のうち軸方向一端側の一部はブローチ加工されないようにするが、その他の部位はブローチ加工されるようにし、雌スプライン１１ａの歯面を形成している。従って、案内溝１３が形成されていた部分のほとんどの領域においては、相手部材との間でトルク伝達が確実に且つ良好に行うようにできる。
【００４４】
また、トリポード１の軸中心から案内溝１３の溝底までの最大距離Ｒ１は、ブローチバイト１００の軸中心から最大刃１０１ｂの外周縁までの最大距離Ｒ４より小さくされている。これにより、案内溝１３の溝底部分は、全て、ブローチ刃１０１によりブローチ加工されることになる。仮に、ブローチ加工後に案内溝１３の溝底部分が僅かに残る場合には、その残る部分を形成する部分が角状を形成し、実際にトリポード１が使用されて相手部材との間でトルク伝達される際に応力集中するおそれがある。しかし、本実施形態のように、案内溝１３の溝底部分が全てブローチ加工されることにより、角状に残る部分が存在しなくできる。従って、案内溝１３の溝底部分が角状に形成されることによる応力集中を回避できる。
【００４５】
また、ブローチバイト１００が拡径刃１０１ａを備え、この拡径刃１０１ａが最初に案内溝１３に当接するようにしている。これにより、ブローチ刃１０１の拡径刃１０１ａがトリポード１の内側に挿入される当初は、拡径刃１０１ａの僅かな突出部分がトリポード１の内側に挿入されることになる。そして、その突出量が徐々に大きくなるように変化する。従って、ブローチ刃１０１の挿入当初に、案内溝１３からずれた位相に挿入されたとしても、ブローチ刃１０１の拡径刃１０１ａが案内溝１３に滑らかにガイドされる状態となる。従って、案内溝１３による位相決めが確実にできる。
【００４６】
なお、上記実施形態においては、案内溝１３の個数が、ブローチバイト１００のブローチ刃１０１の個数と同数とした。つまり、それぞれのブローチ刃１０１がそれぞれの案内溝１３に挿入されるようにした。この他に、一つの案内溝１３に、複数のブローチ刃が挿入されるようにすることもできる。例えば、一つの案内溝１３の周方向幅が、連続する３個のブローチ刃１０１の周方向幅と同程度となるようにする等である。この場合、それぞれの案内溝１３がそれぞれのブローチ刃１０１を挿入する場合に比べて、トリポード１の内周全体における案内溝１３の個数が少なくなる。両者の態様を比較した場合、それぞれの案内溝１３がそれぞれのブローチ刃１０１を挿入する場合の方が、案内溝１３をそれほど高精度に加工しなくても、案内溝１３全体としての位相ばらつきが平準化されることで、個々の案内溝１３の加工精度ばらつきによる位相ばらつきを低減できる。
【００４７】
また、上記実施形態においては、案内溝１３を鍛造加工工程において同時に形成した。この他に、閉塞鍛造工程において、案内溝１３を同時形成するようにすることも可能である。もちろん、鍛造加工工程および閉塞鍛造工程とは別工程として、案内溝形成工程を設けることもできる。ただし、鍛造加工工程または閉塞鍛造工程と同時に、案内溝形成工程を行うことで、製造工程が増加しないため、低コスト化を図ることができる。
【図面の簡単な説明】
【００４８】
【図１】トリポード１の製造工程を示す図である。
【図２】（ａ）案内溝形成工程におけるトリポード１の軸方向から見た図の拡大図である。（ｂ）図２（ａ）の軸方向断面図である。
【図３】図２（ａ）のＡ方向から見た状態の拡大図である。
【図４】（ａ）ブローチバイト１００の軸直角方向から見た図である。（ｂ）図４（ａ）のＢ方向から見た図である。
【符号の説明】
【００４９】
１：トリポード
１１：ボス部、  １１ａ：雌スプライン、  １１ｂ：凹部、  １１ｃ：貫通孔
１２：トリポード軸部、  １３：案内溝
１００：ブローチバイト、  １０１：ブローチ刃
１０１ａ：拡径刃、  １０１ｂ：最大刃
１０２：円柱部
【図１】
2009113183.tif 000003
【図２】
2009113183.tif 000004
【図３】
2009113183.tif 000005
【図４】
2009113183.tif 000006